(57)【要約】【課題】電子機器及びその方法を提供する。【解決手段】実施形態の電子機器は、第１の音響再生部と、音響出力制御部と、を具備する。第１の音響再生部は、第１の音響再生特性を有し、入力音響信号を再生する。音響出力制御部は、前記第１の音響再生部と独立して設けられ、第２の音響再生特性を有し、前記入力音響信号を再生する第２の音響再生部が接続したことを検出した場合であって、前記第２の音響再生部と前記第１の音響再生部とにより前記入力音響信号を同時に再生する特定の機能を適用して前記入力音響信号を再生する際に、前記第１の音響再生部と前記第２の音響再生部のそれぞれが出力する再生出力の配分を設定する。【選択図】図１
2017028397.tif 000002
【特許請求の範囲】
【請求項１】
第１の音響再生特性を有し、入力音響信号を再生する第１の音響再生部と、
前記第１の音響再生部と独立して設けられ、第２の音響再生特性を有し、前記入力音響信号を再生する第２の音響再生部が接続したことを検出した場合であって、前記第２の音響再生部と前記第１の音響再生部とにより前記入力音響信号を同時に再生する特定の機能を適用して前記入力音響信号を再生する際に、前記第１の音響再生部と前記第２の音響再生部のそれぞれが出力する再生出力の配分を設定する音響出力制御部と、
を具備する電子機器。
【請求項２】
前記音響出力制御部は、前記第１の音響再生部と前記第２の音響再生部のそれぞれが出力する再生出力の周波数特性が異なるように制御する請求項１の電子機器。
【請求項３】
前記第１の音響再生部は、前記入力音響信号の主として低音域成分を再生する第１の音響再生装置と前記入力音響信号の非前記低音域成分を再生する第２の音響再生装置とに出力すべき再生出力を出力する請求項２の電子機器。
【請求項４】
前記第２の音響再生部は、前記第１の音響再生部と協働して前記入力音響信号を再生する第３の音響再生装置に出力すべき再生出力を出力する請求項１−３の何れかの電子機器。
【請求項５】
前記第２の音響再生部は、前記入力音響信号の供給元が前記第１の音響再生部と独立に位置する場合、前記入力音響信号をパススルーして前記第１の音響再生部に供給する請求項１−４の何れかの電子機器。
【請求項６】
前記音響出力制御部は、前記第２の音響再生部が前記入力音響信号を再生するタイミングに基づいて、前記第１の音響再生部が前記入力音響信号を再生するタイミングを遅延する請求項１−４の何れかの電子機器。
【請求項７】
前記入力音響信号が付属する映像を表示する表示装置をさらに具備する請求項１−６の何れかの電子機器。
【請求項８】
第１の音響再生特性を有する第１の音響再生部と、第１の音響再生部と独立して設けられ、第２の音響再生特性を有し、入力音響信号を再生する第２の音響再生部が接続したことを検出した場合であって、前記第２の音響再生部と前記第１の音響再生部とにより前記入力音響信号を同時に再生する特定の機能を適用して前記入力音響信号を再生する際に、第１の音響再生部と第２の音響再生部のそれぞれが出力する再生出力の配分を設定する電子機器の制御方法。
【発明の詳細な説明】
【技術分野】
【０００１】
この発明は、電子機器及びその制御方法に関する。
【背景技術】
【０００２】
電子機器、例えば放送を受信して再生するテレビジョン放送受信再生装置（以下テレビジョン装置と呼称する）、あるいはディスプレイ装置またはテレビジョン装置と接続するレコーダ装置は、放送事業者が放送する番組や配信事業者が供給する番組もしくはネットワークを通じて取得可能なコンテンツ（番組）を再生する。また、レコーダ装置あるいはテレビジョン装置に接続可能なサウンドシステム（音響再生装置）を用いることにより、テレビジョン装置が再生する映像（番組）の音響／音声の臨場感や奥行きおよび広がりを高めることができる。
【先行技術文献】
【特許文献】
【０００３】
【特許文献１】特開２０１３−１９２２４７号公報
【発明の概要】
【発明が解決しようとする課題】
【０００４】
従来、音響再生装置は、テレビジョン装置が再生する音響およびまたは音声のうちのサラウンド出力や重低音の再生を受け持ち、テレビジョン装置のスピーカは、主として、台詞やニュース音声、楽曲等の音声周波帯域の再生を受け持つ技術が知られている。
【０００５】
多くの場合、音響再生装置の音響出力は、テレビジョン装置のスピーカからの音響出力に比較してより大きい。しかしながら、一般には、テレビジョン装置と音響再生装置との位置関係、等の要因に起因して、音響周波数帯域の再生についてはテレビジョン装置のスピーカを用いる場合がほとんどである。
【０００６】
すなわち、視聴者の多くは、テレビジョン装置と音響再生装置とを有する場合においても、テレビジョン装置のスピーカからの音響出力を主とする音響再生もしくは音声周波帯域の音響再生よりも大きな音響出力が期待できる音響再生の何れかを選択して、音響およびまたは音声を再生することが一般的である。
【０００７】
この発明の目的は、音響およびまたは音声を再生する電子機器およびその電子機器と接続する音響再生装置の両者の音響出力の出力特性に合わせた好適な音響再生が可能な電子機器及びその制御方法を提供することである。
【課題を解決するための手段】
【０００８】
実施形態の電子機器は、第１の音響再生部と、音響出力制御部と、を具備する。第１の音響再生部は、第１の音響再生特性を有し、入力音響信号を再生する。音響出力制御部は、前記第１の音響再生部と独立して設けられ、第２の音響再生特性を有し、前記入力音響信号を再生する第２の音響再生部が接続したことを検出した場合であって、前記第２の音響再生部と前記第１の音響再生部とにより前記入力音響信号を同時に再生する特定の機能を適用して前記入力音響信号を再生する際に、前記第１の音響再生部と前記第２の音響再生部のそれぞれが出力する再生出力の配分を設定する。
【図面の簡単な説明】
【０００９】
【図１】実施形態に係る電子機器及び電子機器と接続する電子機器の接続の一例を示す。
【図２】実施形態に係る電子機器及び電子機器と接続する電子機器の主要な構成の一例を示す。
【図３】実施形態に係る電子機器の音響再生特性の一例を示す。
【図４】実施形態に係る電子機器のイコライジング特性の一例を示す。
【図５】実施形態に係る電子機器のイコライジング特性の一例を示す。
【図６】実施形態に係る電子機器の音響再生特性の一例を示す。
【図７】実施形態に係る電子機器の音響再生特性の一例を示す。
【図８】実施形態に係る電子機器及び電子機器と接続する電子機器の接続の一例を示す。
【図９】実施形態に係る電子機器及び電子機器と接続する電子機器の主要な構成の一例を示す。
【発明を実施するための形態】
【００１０】
以下、図面を参照して、実施の一形態について説明する。なお、以下に説明する要素や構成は、処理装置すなわちマイクロコンピュータ（ＣＰＵ（Central Processing Unit））によりソフトウェアで実現するものであってもよいし、ハードウェアで実現するものであってもよい。また、以下の記載において、放送は、空間を伝播する電波として放送事業者（放送局）が提供するもの、あるいはケーブル（光ファイバを含む）網やＩＰ（Internet Protocol）網等のネットワークを通じて配信事業者が配信するもの、等を含む。また、放送は、映像と音声または音楽もしくはその両者を含み、一定時間（放送時間）を単位とするさまざまな番組を提供する形態を示す。なお、番組は、ストリームあるいはコンテンツもしくは情報と称する場合もある。また、番組は、映像及び映像に付属する音声や音楽からなる。なお、映像は、動画と静止画またはテキスト（コード化された符号列で示される文字や記号等で表される情報）の少なくとも１つを含む。
【００１１】
図１は、実施形態に係る電子機器及び電子機器と接続する電子機器相互の接続の一例を示す。
【００１２】
図１において、第１の電子機器１０１は、例えば放送事業者が放送する番組もしくは配信事業者が配信する番組を受信して再生するテレビジョン放送受信再生装置（以下テレビジョン装置１０１と呼称する）である。第２の電子機器２０１は、例えば放送事業者が放送する番組や配信事業者が供給する番組やネットワークを通じて取得可能な番組（コンテンツ）を記憶し、再生指示に従い再生する記憶再生装置（以下レコーダ装置と呼称する）である。第３の電子機器３０１は、テレビジョン装置（第１の電子機器）１０１およびレコーダ装置（第２の電子機器）２０１と相互に接続し、テレビジョン装置１０１と協働してテレビジョン装置１０１あるいはレコーダ装置２０１が再生する音響およびまたは音声出力を再生する音響再生装置（サウンドシステム）である。
【００１３】
テレビジョン装置１０１とサウンドシステム３０１およびレコーダ装置２０１とサウンドシステム３０１は、それぞれ、双方向伝送媒体、例えばHigh-definition Digital Media Interface（ＨＤＭＩ（登録商標））規格に準拠する通信ケーブル（以下ＨＤＭＩケーブルと呼称する）１０１ａ，１０１ｂにより、相互に、（電気的に）接続する。なお、レコーダ装置２０１は、レコーダ装置２０１にて記憶した番組（コンテンツ）の再生に加え、さまざまな記憶媒体、例えばカード状メモリ（ＳＤ（Secure Digital）カード）や、ＢＤ（Blu-ray（登録商標）Disk）規格の光ディスク、ＤＶＤ（Digital Versatile Disk）規格の光ディスク、等の記憶媒体が供給するコンテンツを再生できることが好ましい。また、テレビジョン装置１０１は、例えばレコーダ装置２０１およびレコーダ装置２０１と接続する表示装置（モニタ装置）であってもよい。
【００１４】
テレビジョン装置１０１は、図１に示すように、後段に説明する信号処理回路や主要な構成要素を保持する回路基板モジュール１１１、スピーカ３７ＲＲ，３７ＲＣ，３７ＬＣおよび３７ＬＬを含む。なお、回路基板モジュール１１１は、ディスプレイ２６（および図示しない構造体の）背面の所定の位置に配置される。
【００１５】
スピーカ３７ＲＲおよび３７ＬＬは、それぞれ、番組の音響信号および音声信号のうちの低音域および音声帯域（中間帯域）を、主として再生する。スピーカ３７ＲＣおよび３７ＬＣは、それぞれ、番組の音響信号および音声信号のうちの音声帯域（中間帯域）および高音帯域を、主として再生する。なお、それぞれのスピーカは、ステレオ信号の再生が可能な２ウェイ方式であり、右チャンネル（３７ＲＲおよび３７ＲＣ）と左チャンネル（３７ＬＬおよび３７ＬＣ）が、ディスプレイ２６を正面から見た状態で所定の位置関係で配置される。
【００１６】
サウンドシステム３０１は、図１に示すように、例えばテレビジョン装置１０１のディスプレイ２６の下部の所定の位置であってディスプレイ２６の左右方向の概ね中央に配置されるセンタースピーカ３１１Ｃを含む。センタースピーカ３１１Ｃの両側すなわちディスプレイ２６の左右方向には、スピーカ３１１Ｒ（右チャンネル）および３１１Ｌ（左チャンネル）が配置される。スピーカ３１１Ｒおよび３１１Ｌは、それぞれ、番組の音響信号および音声信号のうちの低音域および音声帯域（中間帯域）を、主として再生する。センタースピーカ３１１Ｃは、番組の音響信号および音声信号のうちの低音域（重低音）を、主として再生する。なお、センタースピーカ３１１Ｃを保持するセンターモジュール３０１Ｍは、後段に説明する信号処理回路や主要な構成要素を保持する。また、センターモジュール３０１Ｍと各スピーカ３１１Ｒおよび３１１Ｌは、伝送線（ケーブル）３０１Ｒおよび３０１Ｌが接続する。
【００１７】
図２は、テレビジョン装置１０１の主要な要素（構成）の一例を示す。なお、図２が示す主要な要素の配列や位置関係は、実質的に任意である。
【００１８】
テレビジョン装置１０１は、入力部（チューナ部）１１、信号処理部（ＴＳ分離部）１２、映像処理ブロック２１、音声処理ブロック３１及び主制御ブロック５１、等を含む。
【００１９】
主制御ブロック５１は、ＣＰＵ（主処理回路）５２、ＲＯＭ（読出専用メモリ）５３、ＲＡＭ（ランダムアクセスメモリ（ワークメモリ））５４、ＮＶＭ（不揮発性（書き換え可能）メモリ）５５、等を含む。主制御ブロック５１はまた、後段に説明する操作入力部６１、ネットワーク制御部７１、ＨＤＭＩ制御部（１）８１、ＨＤＭＩ制御部（２）８２、ＵＳＢ制御部９１、等と接続し、それぞれの動作を制御する。
【００２０】
入力部１１は、アンテナＡＮＴと接続し、空間波、例えば送信局からの地表波もしくは放送衛星（ＢＳ（Broadcasting Satellite）または通信衛星ＣＳ（Communication Satellite））利用する衛星波の何れかである放送信号すなわち番組を受信する。入力部１１はまた、例えばＳＴＢ（Set Top Box）を経由する外部入力コンテンツ（番組）を受信する。なお、入力部１１は、例えばビデオカメラ装置が提供する映像と音響およびまたは音声の入力を受けつける。
【００２１】
信号処理部（ＴＳ分離部）１２は、入力部１１が受信して選局した任意のチャンネルの放送すなわち番組を、ＴＳ（Transport Stream）すなわち映像信号（Video）、音声信号（Audio）及び制御情報に分離する。なお、制御情報は、例えばＴＳ（ストリーム）の分配規則やＴＳの内容（番組の説明）、放送スケジュールあるいは再放送の番組である、等を記述したＰＳＩ（Program Specific Information）もしくはＳＩ（Service Information）すなわち番組配列情報、等を含む。
【００２２】
映像信号（Video）は、映像処理ブロック２１の映像デコーダ２２がデコードし、デジタル映像信号（ビデオ出力）として出力する。また、映像処理ブロック２１には、表示部（ディスプレイ）２６が接続する。なお、ディスプレイ２６は、テレビジョン装置１０１と別体であってもよい。
【００２３】
映像処理ブロック２１は、映像（Video）デコーダ２２、映像（Video）処理部２３、
ＯＳＤ（On Screen Display）処理部２４及び表示制御部２５、等を含む。
【００２４】
映像処理部２３は、映像デコーダ２２がデコードしたデジタル映像信号（Video）を、ディスプレイ２６が表示（再生）可能な所定の解像度及び出力方式に変換する。
【００２５】
ＯＳＤ処理部２４は、ＧＵＩ（Graphical User Interface）表示信号を、表示制御部２５がディスプレイ２６に出力する映像信号（Video）と重ね合わせて表示可能に、表示制御部２５に出力する。
【００２６】
表示制御部２５は、映像処理部２３が変換した映像信号を、ディスプレイ２６における好適な表示（映像再生）が可能な表示駆動信号に変換する。表示制御部２５はまた、映像処理部２３からの表示駆動信号にＯＳＤ処理部２４からのＯＳＤ（On Screen Display）信号を重ね合わせる。なお、表示制御部２５の出力は、例えば外部に接続する外部モニタ装置、あるいは投影装置（プロジェクタ装置）等が接続可能な出力端２７に出力されてもよい。
【００２７】
音声処理ブロック３１は、音声（Audio）デコーダ３２、音声（Audio）処理部３３、遅延／配分設定部３４、（テレビジョン装置側）イコライザ（１）３５、Ｄ−Ａ（Digital to Analog）コンバータ／増幅部３６、等を含む。なお、Ｄ−Ａ（Digital to Analog）コンバータ／増幅部３６には、図１に示したスピーカ３７ＲＲ，３７ＲＣ，３７ＬＣおよび３７ＬＬが接続する。また、遅延／配分設定部３４の出力は、出力端３８およびＨＤＭＩ制御部（２）８２を通じてイコライザ（１）３５およびイコライザ（２）３２１（サウンドシステム）に入力する。なお、スピーカ３７ＲＲ，３７ＲＣ，３７ＬＣおよび３７ＬＬは、テレビジョン装置１０１と別体であってもよい。
【００２８】
音声処理部３３は、音声デコーダ３２がデコードした音声信号（Audio）を、スピーカ３７ＲＲ，３７ＲＣ，３７ＬＣおよび３７ＬＬによる好適な再生が可能な所定の形式に変換する。
【００２９】
遅延／配分設定部３４は、音声デコーダ３２がデコードした音声信号に、映像信号の種類、あるいはサウンドシステム３０１の接続の有無に基づいて、設定する所定量の遅延を付与する。遅延／配分設定部３４はまた、サウンドシステム３０１との接続を認識できている場合、音響／音声再生時にサウンドシステム３０１側のスピーカ３１１Ｒ，３１１Ｌを併用する連携制御（統合音響出力）時の出力配分および音場設定（音場モード）に対応するよう、イコライザ（１）３５およびイコライザ（２）３２１のそれぞれに供給する出力を、好適に配分する。なお、連携制御（統合音響出力）は、テレビジョン装置１０１の各スピーカおよびサウンドシステム３０１の各スピーカから音声帯域（中間帯域）の音響／音声出力の一部の帯域の成分を、同時に出力することを特徴とする。ここで、サウンドシステム３０１との接続は、例えばＨＤＭＩ制御部（１）８１のＨＤＭＩケーブル１０１ａの、例えばＣＥＣ（Consumer Electronics Control）出力のチェックや、ＭＡＣ（Media Access Control）アドレスの取得結果に基づいて、ＣＰＵ５２（主制御ブロック５１）が認識できる。また、連携制御（統合音響出力）時の出力配分および音場設定に対応する各スピーカへの出力の配分（パターン）は、例えばＮＶＭ５５（またはＲＯＭ５３）が保持し、音響／音声再生時に、ＣＰＵ５２が参照することも可能である。
【００３０】
遅延／配分設定部３４による連携制御（統合音響出力）時の各スピーカへの出力の配分（パターン）としては、例えばテレビジョン装置１０１単体で音響／音声信号を出力する場合のスピーカ３７ＲＲと３７ＬＬが受け持つ低音域および音声帯域（中間帯域）の音響／音声出力の（ゲインの）１／２をサウンドシステム３０１のスピーカ３１１Ｒと３１１Ｌに振り分けるものであってもよい。また、配分の例としては、例えばテレビジョン装置１０１の個々のスピーカの合計の出力値（スピーカ３７ＲＣと３７ＬＣの出力を含む）とサウンドシステム３０１の個々のスピーカの合計の出力値との比率に基づいて、振り分けるものであってもよい。この場合、主として音声帯域（中間帯域）の音響／音声出力に対応するスピーカ３７ＲＣと３７ＬＣの出力を除外することものであってもよい。なお、配分する際には、各スピーカ（特にサウンドシステム３０１側のスピーカ）の入力インピーダンスに基づいて、各スピーカ（サウンドシステム３０１側）に供給する音響／音声出力の配分（振り分け）を補正することが好ましい。但し、いずれの配分例においても、センタースピーカ３１１Ｃへの配分は、一定値（固定）とする。また、例えばトーク番組や、紀行番組、等を考慮してセンタースピーカ３１１Ｃから音響／音声出力を出力しないセンタースピーカオフモードを設けてもよい。なお、各出力配分および音場設定は、メニュー画面への表示とリモコンＲＭからの制御入力（選択指示）、もしくはリモコンＲＭに用意される専用キー、等により、ユーザが、任意に設定できるものであることが好ましい。また、音場設定としては、設定された出力配分に対して、例えばスタジアムモードやライブモードあるいはニュースモード、等のように、予め用意される特定の（音場）アレンジを一律に施すものとする。さらに、例えばテレビジョン装置１０１側のスピーカからの出力を停止してサウンドシステム３０１側のスピーカのみにより音響／音声出力を再生する非連携モードも、ユーザ指示により設定可能である。また、サウンドシステム３０１側のスピーカからの音響／音声出力の再生を停止するテレビジョン装置モード（サウンドシステムオフモード）も、ユーザ指示により設定可能である。
【００３１】
なお、サウンドシステム３０１がプロセッサ（ＣＰＵ）を有する場合、テレビジョン装置１０１に、自身の接続を報知することも可能である。また、サウンドプロセッサ３０１が（ＣＰＵに加え）遅延／配分設定部の機能を有する場合、サウンドプロセッサ３０１側で、上述の連携制御時の出力配分および音場設定を受け持つことも可能である。
【００３２】
イコライザ（１）３５は、遅延／配分設定部３４からの音響／音声信号をテレビジョン装置１０１側の各スピーカとサウンドシステム３０１側の各スピーカとにより決まるテレビジョン装置１０１側のスピーカのための所定のイコライジング特性を持った音響／音声出力となるよう、イコライズ（周波数特性を補正）する。なお、音響／音声信号は、後述するが、遅延／配分設定部３４において、映像（コンテンツ）の種類に基づいて所定量の遅延を付与されることが好ましい。
【００３３】
Ｄ−Ａコンバータ／増幅部３６は、イコライザ（１）３５がイコライズした音響／音声信号をアナログ音声出力信号に変換し、テレビジョン装置１０１側のスピーカのそれぞれにおいて好適な音量やバランスを実現したスピーカ出力となるよう、増幅する。これにより、Ｄ−Ａコンバータ／増幅部３６と接続する個々のスピーカ３７ＲＲ，３７ＲＣ，３７ＬＣおよび３７ＬＬから、ユーザ指示に基づいて設定された再生モードやサウンドシステム３０１側のそれぞれのスピーカの出力とにより決まる出力配分／音声特性の可聴音（アナログ（Audio）出力）を出力する。なお、Ｄ−Ａコンバータ／増幅部３６の出力は、外部機器、例えばＡＶ（Audio Visual）アンプ装置等が接続可能な出力端３８に分岐してもよい。また、Ｄ−Ａコンバータ／増幅部３６に入力するイコライザ（１）３５からの音響／音声信号は、遅延／配分設定部３４において、コンテンツ（番組）の種類に対応した所定の遅延（時間）を伴う。例えば、コンテンツがゲームである場合、遅延／配分設定部３４が規定する遅延（時間）の大きさ（長さ）は、例えば映画のような番組を再生する場合に適用する遅延（時間）の大きさ（長さ）よりも小さい（短い）。
【００３４】
なお、遅延／配分設定部３４は、サウンドシステム３０１が接続している場合、サウンドシステム３０１側の各スピーカが出力する音響／音声信号とテレビジョン装置１０１側の各スピーカが出力する音響／音声信号との間の伝送時間を考慮して、テレビジョン装置１０１側のスピーカが再生する音響／音声信号（イコライザ（１）３５への入力）に、所定量の遅延を与える。すなわち、サウンドシステム３０１は、ＨＤＭＩケーブル１０１ａを介してテレビジョン装置１０１から受け取った音響／音声信号を、イコライザ（２）３２１でイコライズジングし、その後Ｄ−Ａコンバータ３２２により所定のゲインまで音響／音声信号を増幅する。このため、ＣＰＵ５２（主制御ブロック５１）においてサウンドシステム３０１の接続を認識できている場合、音響／音声信号のテレビジョン装置１０１側のイコライザ（１）３５への入力タイミングを、遅延／配分設定部３４において、所定時間、遅延することが好ましい。
【００３５】
操作入力部６１は、ユーザによる直接操作、例えばテレビジョン放送（番組）のチャンネル（放送局）の選択、番組の録画開始（ＲＥＣ）あるいは録画した番組の再生（ＰＬＡＹ）、等に対応する制御コマンドを主制御ブロック５１に入力する。
【００３６】
受信部６２は、リモコン端末（リモートコントローラ）７１からの指示（操作入力）、例えばチャンネル（放送局）の選択（選局）、録画開始（ＲＥＣ）、録画した番組の再生（ＰＬＡＹ）、一時停止（ＰＡＵＳＥ）、特殊再生、あるいはメニュー表示等に対応するコマンドを主制御ブロック５１に入力する。
【００３７】
ネットワーク制御部７１は、外部ネットワークＮＴＷへのアクセスと外部ネットワークＮＴＷ上のさまざまなサービスサーバ、例えばＴｉｍｅＯｎ（タイムオンサービス）サーバやＳＮＳ（Social Network Service）サーバからの情報の取得のための入力情報の送信や情報の取得（受信）、等を制御する。
【００３８】
ＨＤＭＩ制御部（１）８１は、接続ポート８１ａを経由して、例えばＨＤＭＩ規格またはMobile High-definition Link（ＭＨＬ（登録商標））規格を利用する機器相互間の有線通信を制御する。同様に、ＨＤＭＩ制御部（２）８２は、接続ポート８２ａを経由してＨＤＭＩ規格またはＭＨＬ規格を利用する機器相互間の有線通信を制御する。なお、図２が示す例は、図１に示したテレビジョン装置１０１とレコーダ装置２０１が、接続ポート８１ａを経由してＨＤＭＩ制御部（１）８１が接続し、接続ポート８２ａを経由して、サウンドシステム３０１がＨＤＭＩ制御部（２）８２と接続する例を示す。なお、ＨＤＭＩ制御部（１）８１またはＨＤＭＩ制御部（２）８２の何れかに、例えばDigital Living Network Alliance（ＤＬＮＡ（登録商標））規格、等に準拠する（家庭内）サーバ機能を有する機器が接続する場合、テレビジョン装置１０１は、サーバ機能を有する機器と接続する他のレコーダ装置やＮＡＳ（Network Attached Storage）ＨＤＤ）、等において記録した番組を、再生できる。
【００３９】
ＵＳＢ制御部９１は、ＵＳＢ規格に対応する記憶装置（ＵＳＢＨＤＤ）４１や、例えばキーボード、等の利用を可能とする。なお、記憶装置４１を接続した場合、ユーザが指定する特定のチャンネル（放送事業者や配信事業者）および所定の時間帯の番組を一定期間の間、全て（丸ごと）記憶するタイムシフト録画が可能である。
【００４０】
主制御ブロック５１は、ＲＡＭ５４が提供する作業エリアにおいて、ＲＯＭ５３が保持する制御プログラムに対応するＣＰＵ５２の制御に従い、入力信号や制御信号に対応する処理を実行する。
【００４１】
ＣＰＵ５２（主制御ブロック５１）は、操作入力部６１からの操作情報（制御入力）やリモートコントローラ（リモコン端末）ＲＭからの制御信号（操作入力）に基づいて、上述した各部や要素の動作を制御する。ＣＰＵ５２はまた、各種の設定情報や、ホームネットワークにおいてホームサーバと接続する他のレコーダ装置やテレビジョン装置に関する管理情報、等をＮＶＭ５５に書き込む。
【００４２】
また、ＣＰＵ５２は、ユーザによる操作指示（制御入力）や予約録画のための録画予約に基づいて、映像デコーダ２２および音声デコーダ３２が出力する映像信号や音声信号等を、例えばＵＳＢ制御部９１と接続する記憶装置４１に記録する。ＣＰＵ５２はまた、ユーザ操作に基づくリモコン端末ＲＭ、等からの制御信号（操作入力）に応答して、記憶装置４１から所望の映像信号や音声信号等を読み出して復号し、映像デコーダ２２および音声デコーダ３２に供給する。
【００４３】
ＣＰＵ５２はさらに、ＮＶＭ５５もしくはＲＯＭ５３が保持するプログラムやアプリケーションあるいはＣＰＵ５２のファームウェアに基づいて、番組に付属する、さまざまな情報を取得する。例えば、信号処理部（ＴＳ分離部）１２が分離するＴＳに付属する制御情報のうちのＰＳＩまたはＳＩから番組情報、例えば視聴制限年齢情報やＥＰＧ（電子番組表）情報あるいは再放送番組であること、等を取得する。また、入力部１１が受信可能な全てのチャンネル（放送局）の番組について、例えば８日分、番組情報（放送スケジュール）を取得し、例えばＲＡＭ５４あるいは記憶装置４１に格納する。なお、ＥＰＧ情報から、ＯＳＤ処理部２４を経由してディスプレイ２６が表示する番組表表示のための番組表データを生成できる。番組表データは、ＯＳＤ処理部２４が番組表表示信号に変換し、表示装置制御部２５に出力する。
【００４４】
ＣＰＵ５２はまた、ＨＤＭＩケーブル１０１ａによりポート３０１ａを通じて接続するサウンドシステム３０１が、テレビジョン装置１０１と音響出力の連携制御（統合音響出力）に対応するか否かを、例えばＨＤＭＩケーブル１０１ａの、例えばＣＥＣ出力のチェックや、ＭＡＣアドレスの取得結果に基づいて、認識する。
【００４５】
図３および図４は、テレビジョン装置１０１のスピーカ３７ＲＲ，３７ＲＣ，３７ＬＣおよび３７ＬＬとサウンドシステム３０１のスピーカ３１１Ｃ，３１１Ｒおよび３１１Ｌのそれぞれにおいて、同時に音響／音声出力を再生する場合の個々のスピーカの出力帯域の分担の一例を示す。
【００４６】
図３（ａ）は、テレビジョン装置１０１のスピーカ３７ＲＲおよび３７ＬＬとサウンドシステム３０１の３１１Ｒおよび３１１Ｌのそれぞれの音響／音声出力の出力特性の一例を示し、図３（ｂ）は、テレビジョン装置１０１のスピーカ３７ＲＣおよび３７ＬＣの音響／音声出力の出力特性の一例を示す。なお、スピーカ３７ＲＲおよび３７ＬＬとスピーカ３１１Ｒおよび３１１Ｌのそれぞれは、符号［Ａ］が示すように、上述の通り、音響／音声出力のうちの低音域および音声帯域（中間帯域）を、主として再生する。また、スピーカ３７ＲＣおよび３７ＬＣは、のそれぞれは、符号［Ｂ］が示すように、上述の通り、音響／音声出力のうちの音声帯域（中間帯域）および高音帯域を、主として再生する。なお、サウンドシステム３０１のセンタースピーカ３１１Ｃは、上述の通り、音響／音声出力のうちの重低音（低音域のうちの音場再現のうちの位置関係が問題とならない音域）を再生するため、図３（ａ）および図３（ｂ）のそれぞれが示す出力特性では表示しない。
【００４７】
符号［Ａ］で示すスピーカ３７ＲＲおよび３７ＬＬとスピーカ３１１Ｒおよび３１１Ｌの出力特性は、高音域においてゲイン（レベル）が低下する（図３（ａ））。また、符号［Ｂ］で示すスピーカ３７ＲＣおよび３７ＬＣの出力特性は、低音域においてゲイン（レベル）が不足する（図３（ｂ））。
【００４８】
従って、符号［Ａ］で示すスピーカ３７ＲＲおよび３７ＬＬとスピーカ３１１Ｒおよび３１１Ｌの出力と符号［Ｂ］で示すスピーカ３７ＲＣおよび３７ＬＣの出力とを組み合わせ（スピーカ３７ＲＲおよび３７ＬＬとスピーカ３１１Ｒおよび３１１Ｌの出力とスピーカ３７ＲＣおよび３７ＬＣの出力とを所定のクロスオーバー周波数で切り換え）、図３（ｃ）に符号［Ｃ］で示すような出力特性、とすることが好ましい。なお、図３（ｃ）に符号［Ｃ］で示すスピーカ３７ＲＲおよび３７ＬＬとスピーカ３１１Ｒおよび３１１Ｌの出力とスピーカ３７ＲＣおよび３７ＬＣの出力とを所定のクロスオーバー周波数で切り換える際に、例えば符号［ｂ］で示すような出力特性、とすることが好ましい。すなわち、図３（ｃ）において符号［Ａ］で示すスピーカ３７ＲＲおよび３７ＬＬとスピーカ３１１Ｒおよび３１１Ｌの出力と符号［Ｂ］で示すスピーカ３７ＲＣおよび３７ＬＣの出力とが重なりあう帯域については、スピーカ３７ＲＲおよび３７ＬＬとスピーカ３１１Ｒおよび３１１Ｌの出力を優先することが好ましい。もちろん、図３（ｃ）において、符号［Ａ］で示すスピーカ３７ＲＲおよび３７ＬＬとスピーカ３１１Ｒおよび３１１Ｌの出力と符号［Ｂ］で示すスピーカ３７ＲＣおよび３７ＬＣの出力とが重なりあう帯域について、スピーカ３７ＲＣおよび３７ＬＣの出力の出力を優先することも可能である。
【００４９】
図４は、図３（ｃ）に、符号［Ｃ］で示すスピーカ３７ＲＲおよび３７ＬＬとスピーカ３１１Ｒおよび３１１Ｌの出力とスピーカ３７ＲＣおよび３７ＬＣの出力である統合音響出力を得るために、個々のスピーカに入力する音響／音声出力の周波数特性を設定するイコライザ（１）３５（テレビジョン装置１０１側）およびイコライザ（２）３２１（サウンドシステム３０１側）のイコライジング特性（Ｅ３５およびＥ３２１）の一例を示す。
【００５０】
図４（ａ）は、例えば低音域をエンハンスする（高める）イコライザ（１）３５が統合音響出力に与える第一のイコライジング特性Ｅ３５の例を示し、例えばスピーカ３７ＲＲおよび３７ＬＬとスピーカ３７ＲＣおよび３７ＬＣへの入力信号に適用することが好ましい。
【００５１】
図４（ｂ）は、例えば音声帯域（中間帯域）および高音帯域をエンハンスするイコライザ（２）が統合音響出力に与える第二のイコライジング特性Ｅ３２１の例を示し、例えばサウンドシステム３０１側のスピーカ３１１Ｒおよび３１１Ｌへの入力信号に適用することが好ましい。
【００５２】
図５は、図３（ｃ）に、符号［Ｃ］で示す上述の統合音響出力を得るため、個々のスピーカに入力する音響／音声出力の周波数特性を設定するイコライザ（１）３５およびイコライザ（２）３２１のイコライジング特性の別の一例を示す。例えば、図４（ａ）が示す第一のイコライジング特性Ｅ３５をサウンドシステム３０１側のスピーカ３１１Ｒおよび３１１Ｌへの入力信号のみに適用する場合、テレビジョン装置１０１側のスピーカ３７ＲＲおよび３７ＬＬへの入力信号には、図５が示すように、全再生帯域において実質的にフラットな第三のイコライジング特性Ｅ１０１を適用することが好ましい。なお、センターチャンネルスピーカ３１１Ｃを除く全てのスピーカにおいて同時に音響／音声出力を再生する統合音響出力を得る場合、スピーカ３７ＲＲおよび３７ＬＬとスピーカ３１１Ｒおよび３１１Ｌへの入力信号とスピーカ３７ＲＣおよび３７ＬＣへの入力信号のイコライジングを図５が示すイコライジング特性Ｅ１０１を適用することも可能である。
【００５３】
図６は、図３（ｃ）に、符号［Ｃ］で示すスピーカ３７ＲＲおよび３７ＬＬとスピーカ３１１Ｒおよび３１１Ｌの出力とスピーカ３７ＲＣおよび３７ＬＣの出力である統合音響出力を得るために個々のスピーカに入力する音響／音声出力の周波数特性の一例を示す。
【００５４】
図６（ａ）は、例えば音声帯域（中間帯域）および高音帯域を再生するテレビジョン装置１０１側のスピーカ３７ＲＣおよび３７ＬＣに供給（入力）する音響／音声出力特性３７ＲＣ／３７ＬＣの一例を示す。個々のスピーカ３７ＲＣおよび３７ＬＣには、図４（ａ）が示すイコライジング特性Ｅ３５でイコライジングされた音響／音声信号を入力するが、図６（ａ）が示すように、予め低音域をフィルタリングした入力信号を入力することが好ましい。
【００５５】
図６（ｂ）は、例えば低音域および音声帯域（中間帯域）を再生するスピーカ３７ＲＲおよび３７ＬＬとサウンドシステム３０１側のスピーカ３１１Ｒおよび３１１Ｌに供給する音響／音声出力特性３７ＲＲ／３７ＬＬの一例を示す。個々のスピーカ３７ＲＲおよび３７ＬＬならびに（サウンドシステム３０１側の）スピーカ３１１Ｒおよび３１１Ｌには、図４（ｂ）が示すイコライジング特性Ｅ３２１でイコライジングされた音響／音声信号を入力するが、図６（ｂ）が示すように、予め高音域をフィルタリングした入力信号を入力することが好ましい。
【００５６】
図７は、センターチャンネルスピーカ３１１Ｃを除く全てのスピーカにおいて同時に音響／音声出力を再生する統合音響出力を得る場合にスピーカへ供給すべき音響／音声出力特性の一例を示す。なお、図７が示す例は、サウンドシステム３０１側のスピーカ３１１Ｒおよび３１１Ｌとテレビジョン装置１０１側のスピーカ３７ＲＲおよび３７ＬＬとにおいて低音域および音声帯域（中間帯域）を、テレビジョン装置１０１側のスピーカ３７ＲＣおよび３７ＬＣにおいて音声帯域（中間帯域）および高音帯域を、それぞれ再生する例を示す。図７が示す例では、テレビジョン装置１０１側のスピーカ３７ＲＣおよび３７ＬＣが再生する帯域について、周波数が高くなるにつれてしだいにエンハンス量を増やした補正特性Ｅ００として、音声帯域から高音域のスピーカ出力を高めている。これにより、ユーザが実際に聞き取る可聴域の音響／音声出力の低音域と音声帯域のバランスを改善できる。
【００５７】
図８および図９は、テレビジョン装置とサウンドシステムとの間の接続が異なる場合のレコーダ装置を含む機器相互の接続およびテレビジョン装置の主要な要素（構成）の一例を示す。なお、図１および図２により説明した要素（構成）と同一（または実質的に同一か類似）の要素（構成）には、同じ符号を付して詳細な説明を省略する。
【００５８】
図８が示すテレビジョン装置１０１とサウンドシステム３０１とは、ＨＤＭＩケーブル１０１ａによるポート８１ａとポート３０１ａとの接続により、番組（コンテンツ）および制御信号の受け渡しが可能である。また、サウンドシステム３０１は、ＨＤＭＩ制御部（２）３０２を含み、レコーダ装置２０１のポート２０１ａとＨＤＭＩケーブル２１１ａによるポート３０２ａとの接続により、番組（映像および音響／音声）および制御信号の受け渡しが可能である。なお、サウンドシステム３０１において、ＨＤＭＩ制御部（２）３０２が受け付けるレコーダ装置２０１からの再生出力、すなわちレコーダ装置２０１が再生しようとしているコンテンツ（番組）の映像および音響／音声は、サウンドシステム３０１からＨＤＭＩケーブル１０１ａにより、一旦テレビジョン装置１０１へ入力する。ＨＤＭＩ制御部（２）３０２はまた、図８が示すテレビジョン装置１０１とサウンドシステム３０１との接続された場合、テレビジョン装置１０１のＣＰＵ５２（主制御ブロック５１）が、サウンドシステム３０１が接続されたことを検出可能に、ＣＥＣの読み取りを許可する。
【００５９】
テレビジョン装置１０１は、信号処理回路や主要な構成要素を保持する回路基板モジュール１１１、スピーカ３７ＲＲ，３７ＲＣ，３７ＬＣおよび３７ＬＬを含む。スピーカ３７ＲＲおよび３７ＬＬは、それぞれ、番組の音響信号および音声信号のうちの低音域および音声帯域（中間帯域）を、主として再生する。スピーカ３７ＲＣおよび３７ＬＣは、それぞれ、番組の音響信号および音声信号のうちの音声帯域（中間帯域）および高音帯域を、主として再生する。なお、それぞれのスピーカは、ステレオ信号の再生が可能な２ウェイ方式であり、右チャンネル（３７ＲＲおよび３７ＲＣ）と左チャンネル（３７ＬＬおよび３７ＬＣ）が、ディスプレイ２６を正面から見た状態で所定の位置関係で配置される。
【００６０】
サウンドシステム３０１は、センタースピーカ３１１Ｃ、スピーカ３１１Ｒおよび３１１Ｌを含む。スピーカ３１１Ｒおよび３１１Ｌは、それぞれ、番組の音響信号および音声信号のうちの低音域および音声帯域（中間帯域）を、主として再生する。センタースピーカ３１１Ｃは、番組の音響信号および音声信号のうちの低音域（重低音）を、主として再生する。また、センターモジュール３０１Ｍと各スピーカ３１１Ｒおよび３１１Ｌは、伝送線（ケーブル）３０１Ｒおよび３０１Ｌが接続する。
【００６１】
レコーダ装置２０１は、レコーダ装置２０１にて記憶した番組（コンテンツ）の再生に加え、さまざまな記憶媒体、例えばＳＤカード）や、ＢＤディスク、ＤＶＤディスク、等の記憶媒体が供給するコンテンツを再生する際に、テレビジョン装置１０１に、サウンドシステム３０１を経由して再生対象の番組（コンテンツ）を出力する。
【００６２】
サウンドシステム３０１は、ＨＤＭＩ制御部（２）８２を通じて入力するレコーダ装置２０１からの再生対象の番組（コンテンツ）については、例えばデコード処理や遅延処理、個々のスピーカへの音響／音声出力、等を行わず、そのままテレビジョン装置１０１に入力する（パススルー）。また、遅延／配分設定部３４の出力は、ＨＤＭＩ（２）８２を通じてイコライザ（２）３２１に入力する。
【００６３】
なお、サウンドシステム３０１がプロセッサ（ＣＰＵ）を有する場合、テレビジョン装置１０１に、自身の接続を報知することも可能である。また、サウンドプロセッサ３０１が（ＣＰＵに加え）遅延／配分設定部の機能を有する場合、サウンドプロセッサ３０１側で、上述の連携制御時の出力配分および音場設定を受け持つことも可能である。
【００６４】
これにより、テレビジョン装置１０１のスピーカ３７ＲＲおよび３７ＬＬとスピーカ３７ＲＣおよび３７ＬＣとサウンドシステム３０１のスピーカ３１１Ｒおよび３１１Ｌの出力特性は、図３（ｃ）または図７により説明した統合音響出力を出力できる。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１０１…テレビジョン装置（第１の電子機器）、１０１ａ，１０２ａ…双方向伝送媒体、１１１…回路基板モジュール、３４…遅延／配分設定部、２０１…レコーダ装置（第２の電子機器）、２１１ａ…双方向伝送媒体、３０１…サウンドシステム（第３の電子機器）。
【図１】
2017028397.tif 000003
【図２】
2017028397.tif 000004
【図３】
2017028397.tif 000005
【図４】
2017028397.tif 000006
【図５】
2017028397.tif 000007
【図６】
2017028397.tif 000008
【図７】
2017028397.tif 000009
【図８】
2017028397.tif 000010
【図９】
2017028397.tif 000011